(57)【要約】【課題】撮像装置において、支持具取付部の温度上昇により、ユーザーに違和感を与えてしまうことを防ぐことを目的とする。【解決手段】支持具４０が取り付け可能な支持具取付部１９を有する撮像装置であって、前記支持具取付部１９は、本体筐体３の内部の底面部に配置されかつ前記支持具４０のネジ部４０ａが取り付け可能なネジ穴３１ａを有する支持具固定部３１と、本体筐体３の底部に前記ネジ穴３１ａに連通するように設けた開口部３ａの周囲に配置され、前記支持具４０の受け部４０ｂが当接する支持具受け部３２とを備え、かつ前記支持具受け部３２は前記支持具固定部３１よりも熱伝導率が低い材料で構成した。【選択図】図５
2012252242.tif 000002
【特許請求の範囲】
【請求項１】
支持具が取り付け可能な支持具取付部を有する撮像装置であって、前記支持具取付部は、外装部の内部の底面部に配置されかつ前記支持具のネジ部が取り付け可能なネジ穴を有する支持具固定部と、前記外装部の底部に前記ネジ穴に連通するように設けた開口部の周囲に配置され、前記支持具の受け部が当接する支持具受け部とを備え、かつ前記支持具受け部は前記支持具固定部よりも熱伝導率が低い材料で構成したことを特徴とする撮像装置。
【請求項２】
前記支持具取付部の支持具受け部は、外装部の他の部分より外部に突出するように形成したことを特徴とする請求項１に記載の撮像装置。
【請求項３】
前記支持具取付部の支持具受け部は、外装部とは異なる部材で構成したことを特徴とする請求項１に記載の撮像装置。
【請求項４】
前記外装部内の底部に金属製のメインフレームを配置し、前記支持具取付部の支持具固定部は前記メインフレームと一体に形成したことを特徴とする請求項１に記載の撮像装置。
【発明の詳細な説明】
【技術分野】
【０００１】
本発明は、支持具を取り付け可能な撮像装置に関する。
【背景技術】
【０００２】
撮像装置として、例えば交換レンズ式のデジタルカメラが知られている（例えば、特許文献１参照）。
【０００３】
特許文献１に記載のカメラは、レンズユニットと、カメラ本体と、を備えている。このカメラ本体は、ＣＣＤイメージセンサーなどの撮像素子と、レンズユニットと撮像素子との間に配置されたミラーボックス装置と、を有している。ミラーボックス装置はレンズユニットを通った光をＣＣＤイメージセンサーまたはプリズムのいずれかに導く。プリズムに導かれた光はプリズムによってファインダーに導かれる。
【０００４】
上記のような撮像装置には、三脚や一脚などの支持具を取り付けるための支持具取付部が設けられる場合がある。例えば、底面に支持具取付部が固定された交換レンズ式のデジタルカメラが知られている。デジタルカメラを支持する三脚を支持具取付部に取り付けることにより、デジタルカメラの姿勢を安定させて撮影を行なうことができる。
【先行技術文献】
【特許文献】
【０００５】
【特許文献１】特開２００６−２１１０９１号公報
【発明の概要】
【発明が解決しようとする課題】
【０００６】
従来から撮像装置の小型化が求められており、例えば交換レンズ式のデジタルカメラにおいては、カメラ本体の小型化が求められている。
【０００７】
しかし、カメラ本体を小型化することにより、部品が密集して配置されるので、撮像素子やカメラコントローラーの実装された基板などの熱を発生する電子部品と支持具取付部との距離は、従来のカメラ本体に比べて小さくなっている。
【０００８】
また、高画質化に伴い撮像素子やカメラコントローラーの消費電力が大きくなるので、これらの電子部品での発熱量が増大する。この結果、電子部品周辺の発熱密度が高くなり、電子部品で発生した熱が支持具取付部に伝わり、支持具取付部の温度が上昇するおそれがある。このため、ユーザーが支持具取付部に触れて周辺の温度と支持具取付部の温度との温度差を感知した場合、ユーザーが違和感を覚える可能性がある。
【０００９】
本発明はこのような課題に鑑みなされたもので、支持具取付部の温度上昇により、ユーザーに違和感を与えてしまうことを防ぐことを目的とする。
【課題を解決するための手段】
【００１０】
このような課題を解決するために本発明は、支持具が取り付け可能な支持具取付部を有する撮像装置であって、前記支持具取付部は、外装部の内部の底面部に配置されかつ前記支持具のネジ部が取り付け可能なネジ穴を有する支持具固定部と、前記外装部の底部に前記ネジ穴に連通するように設けた開口部の周囲に配置され、前記支持具の受け部が当接する支持具受け部とを備え、かつ前記支持具受け部は前記支持具固定部よりも熱伝導率が低い材料で構成したことを特徴とする。
【発明の効果】
【００１１】
本発明によれば、ユーザーが支持具取付部に触れて違和感を感じる可能性を低減することができるとともに、支持具の取り付けに適した位置に支持具取付部を配置することができ、使い勝手の良い撮像装置を提供することができる。
【図面の簡単な説明】
【００１２】
【図１】本発明の一実施の形態によるデジタルカメラの外観を示す斜視図
【図２】交換レンズユニットを取り外したカメラ本体を示す斜視図
【図３】デジタルカメラの概略断面図
【図４】デジタルカメラの機能ブロック図
【図５】本発明におけるデジタルカメラの要部構造を示す断面図
【図６】本発明におけるデジタルカメラの要部構造の他の例を示す断面図
【発明を実施するための形態】
【００１３】
以下、本発明の一実施の形態による撮像装置としてのデジタルカメラについて、図１〜図６の図面を用いて説明する。
【００１４】
図１は、本発明の一実施の形態によるデジタルカメラの外観を示す斜視図、図２は、交換レンズユニットを取り外したカメラ本体を示す斜視図、図３は、デジタルカメラの概略断面図、図４は、デジタルカメラの機能ブロック図である。
【００１５】
図１〜図４に示すように、本発明によるデジタルカメラは、カメラ本体１と、カメラ本体１に装着可能な交換レンズユニット２とを備えている。
【００１６】
カメラ本体１は、本体筐体３と、この本体筐体３の前面側に配置され、交換レンズユニット２が装着可能なボディマウント４と、本体筐体３の背面側に配置され、液晶ディスプレイなどにより構成したカメラモニタ５と、本体筐体３の背面側に配置され、表示用画像データが示す画像等を表示する電子ビューファインダー（以下、ＥＶＦという）６と、本体筐体３の上部に配置され、電源スイッチ７ａ、及びユーザーによるシャッター操作を受け付けるレリーズ釦７ｂなどからなる操作部７とを備えている。また、本体筐体３の上部には、ストロボなどを取り付けるための金属からなるホットシューが配置されている。
【００１７】
また、本体筐体３内には、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）によるイメージセンサー８を実装した回路基板９と、カメラコントローラー１０を含むメイン回路基板１１と、イメージセンサー８の前方に配置されるシャッターユニット１２、振動板１３、及び光学的ローパスフィルタ１４と、ボディマウント４及びカメラコントローラー１０などの各部に電源を供給する電池などからなる電源ブロック１５と、カメラコントローラー１０から送信される制御信号に基づいて、装着されたメモリーカード１６への静止画データや動画データの入出力を行うカードスロット１７とが収容されている。
【００１８】
なお、図３において、外装部である本体筐体３内に配置されたアルミニウム、ステンレスなどの金属製のメインフレーム１８は、ボディマウント４の端子支持部４ａと接続し、ボディマウント４を介して交換レンズユニット２を支持している。また、メインフレーム１８には、三脚や一脚などの支持具を取り付けるためのネジ穴を有する支持具取付部１９が機械的に接続されており、支持具取付部１９のネジ穴は、外装部である本体筐体３の底面に露出している。詳細な構成については後述する。
【００１９】
また、イメージセンサー８を実装した回路基板９を囲むように配置された金属製の放熱部材２０は、イメージセンサー８により発生した熱の放熱を促進するための部材で、回路基板９とメイン回路基板１１との間に配置される放熱板２０ａと、放熱板２０ａの熱をボディマウント４側に伝える熱伝導部２０ｂとを有している。
【００２０】
ここで、カメラ本体１には、前から順に、ボディマウント４、シャッターユニット１２、振動板１３、光学的ローパスフィルタ１４、イメージセンサー８、回路基板９、放熱部材２０、メイン回路基板１１、カメラモニタ５が配置されている。
【００２１】
次に、カメラ本体１の主要部について、詳細に説明する。
【００２２】
まず、ボディマウント４は、図２、図３に示すように、交換レンズユニット２をカメラ本体１に装着するための部品で、交換レンズユニット２のレンズマウント２１と機械的及び電気的に接続される。このボディマウント４は、本体筐体３の前面に取り付けたリング形状の金属製のボディマウントリング４ｂと、端子支持部４ａに設けた接続端子４ｃとを有している。この接続端子４ｃは、カメラ本体１に交換レンズユニット２を装着することにより、レンズマウント２１に設けた接続端子２１ａが電気的に接続される。
【００２３】
ボディマウント４のボディマウントリング４ｂは、交換レンズユニット２に設けたレンズマウント２１の金属製のレンズマウントリング２１ｂと嵌合することにより、カメラ本体１に交換レンズユニット２を機械的に保持する。レンズマウントリング２１ｂは、いわゆるバヨネット機構によりボディマウントリング４ｂに嵌め込まれる。具体的には、レンズマウントリング２１ｂは、ボディマウントリング４ｂとの光軸まわりの回転位置関係に応じて、ボディマウントリング４ｂと嵌合していない第１の状態と、ボディマウントリング４ｂと嵌合する第２状態とをとる。第１の状態において、レンズマウントリング２１ｂは、ボディマウントリング４ｂに対して光軸方向に移動可能で、かつボディマウントリング４ｂに挿入可能である。レンズマウントリング２１ｂをボディマウントリング４ｂに挿入した状態でボディマウントリング４ｂに対して回転させると、レンズマウントリング２１ｂはボディマウントリング４ｂに嵌合する。このときのボディマウントリング４ｂとレンズマウントリング２１ｂとの回転位置関係が第２の状態である。
【００２４】
また、交換レンズユニット２がカメラ本体１に装着されている状態で、接続端子４ｃは、レンズマウント２１が有する接続端子２１ａと電気的に接触している。このように、ボディマウント４とレンズマウント２１とは、ボディマウント４の接続端子４ｃとレンズマウント２１の接続端子２１ａとを介して、電気的に接続可能である。したがって、デジタルカメラは、ボディマウント４とレンズマウント２１とを介して、カメラ本体１と交換レンズユニット２との間で、データ及び制御信号のうち少なくとも一方を送受信できる。具体的には、ボディマウント４とレンズマウント２１とは、カメラコントローラー１０と交換レンズユニット２に含まれるレンズコントローラー２２との間で、データ及び制御信号のうち少なくとも一方を送受信できる。また、ボディマウント４は、電源ブロック１５から受けた電力を、レンズマウント４を介して交換レンズユニット２全体に供給する。
【００２５】
次に、イメージセンサー８は、交換レンズユニット２を介して入射される被写体の光学像である被写体象を画像データに変換するもので、回路基板９に搭載したタイミング信号発生器（ＴＧ）９ａからのタイミング信号に基づいて動作する。生成された静止画データ及び動画データなどの画像データは、回路基板９に搭載されたＡＤコンバーター（ＡＤＣ）９ｂでデジタル信号に変換され、カメラコントローラー１０で様々な画像処理が施される。ここで言う様々な画像処理とは、例えば、ガンマ補正処理、ホワイトバランス補正処理、キズ補正処理、ＹＣ変換処理、電子ズーム処理、ＪＰＥＧ圧縮処理などである。なお、回路基板９の機能は、メイン回路基板１１に搭載してもよい。
【００２６】
イメージセンサー８で取得された動画データは、スルー画像の表示にも用いられる。ここで、スルー画像とは、動画データのうちメモリーカード１６にデータを記録されない画像で、動画像または静止画像の構図を決めるためにカメラモニタ５及び／またはＥＶＦ６に表示される。
【００２７】
次に、カメラコントローラー１０は、メイン回路基板１１に搭載されており、カメラ本体１の各部を制御するとともに、交換レンズユニット２を制御するための信号をボディマウント４、レンズマウント２１を介して、レンズコントローラー２２に送信し、交換レンズユニット２の各部を間接的に制御する。また、カメラコントローラー１０は、ボディマウント４、レンズマウント２１を介して、レンズコントローラー２２からの各種信号を受信する。カメラコントローラー１０は、制御動作や画像処理動作の際に、メイン回路基板１１に搭載したＤＲＡＭ１１ａをワークメモリとして使用する。
【００２８】
次に、シャッターユニット１２は、いわゆるフォーカルプレーンシャッターであり、ボディマウント４とイメージセンサー８との間に配置され、イメージセンサー８への光を遮蔽可能である。シャッターユニット１２は、後幕と、先幕と、被写体からイメージセンサー８に導かれる光の通る開口が設けられたシャッター支持枠とを有し、後幕及び先幕をシャッター支持枠の開口に進退させることにより、イメージセンサー８の露光時間を調節する。
【００２９】
次に、振動板１３は、イメージセンサー８よりも前に配置され、振動板支持部１３ａにより支持されており、イメージセンサー８への埃の付着を防ぐものである。なお、振動板支持部１３ａは、振動板１３をイメージセンサー８に対して所定の位置に配置されるように支持するもので、ボディマウント４及びシャッターユニット１２を介してメインフレーム１８に支持されている。
【００３０】
次に、光学的ローパスフィルタ１４は、交換レンズユニット２により結像する被写体像をイメージセンサー８の画素のピッチよりも粗い解像となるように被写体光の高周波成分を取り除くものである。一般的にイメージセンサー８などの撮像素子は、各画素にベイヤー配列と呼ばれるＲＧＢ色のカラーフィルターやＹＣＭ色の補色カラーフィルターが配されている。従って、１画素に解像してしまうと偽色が発生するばかりでなく、繰り返しパターンの被写体では醜いモアレ現象が発生するため、光学的ローパスフィルタ１４を配置している。この光学的ローパスフィルタ１４には、赤外光をカットするためのＩＲカットフィルタ機能も持たせている。
【００３１】
次に、本発明による交換レンズユニット２について説明する。まず、交換レンズユニット２の主要な機能について、図１、図４を用いて説明する。
【００３２】
交換レンズユニット２は、樹脂製のレンズ鏡筒２ａ内に、被写体の光学像を形成するために光軸ＡＸ上に配列されたレンズ群からなる光学系と、上述したレンズマウント２１及びレンズコントローラー２２と、絞りユニット２３と、光学系のレンズ群を駆動するための駆動部２４とを有している。また、レンズ鏡筒２ａの外周部には、ズームリング２５とフォーカスリング２６とＯＩＳスイッチ２７とが設けられており、ズームリング２５とフォーカスリング２６を回転させることにより、レンズ鏡筒２ａ内のレンズの位置を調整することができる。
【００３３】
光学系は、光学系の焦点距離を変化させるためのズーム用のレンズ群２８と、光学系で形成される被写体像のイメージセンサー８に対するぶれを抑制するためのＯＩＳ（Ｏｐｔｉｃａｌ  Ｉｍａｇｅ  Ｓｔａｂｉｌｉｚｅｒ）用のレンズ群２９と、光学系がイメージセンサー８上に形成する被写体像のフォーカス状態を変化させるためのフォーカス用のレンズ群３０とを有している。絞りユニット２３は、光学系を透過する光の量を調整する光量調整部材で、具体的には、光学系を透過する光の光線の一部を遮蔽可能な絞り羽根と、絞り羽根を駆動する絞り駆動部とを有している。駆動部２４は、レンズコントローラー２２の制御信号に基づいて、光学系の各レンズ群を駆動するもので、光学系の各レンズ群の位置を検出するための検出部を有している。
【００３４】
また、レンズコントローラー２２は、カメラコントローラー１０から送信される制御信号に基づいて、交換レンズユニット２全体を制御する。レンズコントローラー２２は、駆動部２４の検出部によって検出された光学系の各レンズ群の位置情報を受信して、カメラコントローラー１０に送信する。カメラコントローラー１０は、受信した位置情報に基づいて駆動部２４を制御するための制御信号を生成し、レンズコントローラー２２に送信する。レンズコントローラー２２は、カメラコントローラー１０が生成した制御信号を駆動部２４に伝え、駆動部２４は制御信号に基づいてレンズ群２８、２９、３０の位置を調節する。一方、カメラコントローラー１０は、イメージセンサー８が受けた光の量、静止画撮影を行うのか動画撮影を行うのか、絞り値が優先的に設定される操作がされているかなどの情報に基づいて、絞りユニット２３を動作させるための制御信号を生成する。このとき、レンズコントローラー２２は、カメラコントローラー１０で生成された制御信号を絞りユニット２３に中継する。
【００３５】
なお、レンズコントローラー２２は、光学系の各レンズ群２８、２９、３０及び絞りユニット２３の駆動を行なう場合、ＤＲＡＭ２２ａをワークメモリとして使用し、フラッシュメモリ２２ｂは、レンズコントローラー２２によって使用されるプログラムやパラメータを保存している。
【００３６】
次に、本発明による支持具取付部１９の構造について説明する。
【００３７】
図５は支持具取付部周辺の構造を説明する概略図であり、図５（Ａ）は支持具取付部に三脚や一脚等の支持具を取り付けていない状態の図、図５（Ｂ）は支持具取付部に三脚や一脚等の支持具を取り付けた状態の図である。
【００３８】
図５に示すように、支持具取付部１９は、三脚や一脚などの支持具４０を取り付けるための部材であり、支持具取付部１９は、支持具４０のネジ部４０ａが取り付け可能なネジ穴３１ａを有する金属製の支持具固定部３１と、本体筐体３の底部に前記ネジ穴３１ａに連通するように設けた開口部３ａの周囲に配置され、支持具４０の受け部４０ｂが当接する支持具受け部３２とを備えている。前記支持具取付部１９において、支持具受け部３２は、支持具固定部３１よりも熱伝導率が低い材料で、本体筐体３とは異なる材料により構成されている。具体的には、支持具固定部３１はステンレス合金により構成し、支持具受け部３２はポリカーボネート等の合成樹脂材料により構成している。
【００３９】
また、前記支持具受け部３２の支持具４０が当接する露出面３２ａは、開口部３ａの周囲において、他の部分に対して外部に突出するように形成されているとともに、概ね平坦な面を有している。また、前記支持具固定部３１は、外周部に設けたフランジ部３１ｂを本体筐体３の内部の底面部に、本体筐体３内の底部に配置したメインフレーム１８を介在させてビス３３により固定することにより、本体筐体３内に配置されている。
【００４０】
ここで、ユーザーは、本体筐体３の開口部３ａから支持具固定部３１のネジ穴３１ａに、支持具４０のネジ部４０ａを挿入し、ネジ部４０ａをネジ穴３１ａにねじ込むことで、カメラ本体１を支持具４０に固定することができる。
【００４１】
ところで、図３に示すように、支持具取付部１９は、イメージセンサー８の下方で、光軸ＡＸ方向においてイメージセンサー８とほぼ同じ位置に配置される。これは、イメージセンサー８の周辺に重量の比較的大きい部品が配置されている場合であっても、支持具取付部１９を中心とした重量分布に偏りが生じにくくなり、支持具４０に取り付けたときにカメラ本体１が安定しやすいためである。
【００４２】
一方、イメージセンサー８やカメラコントローラー１０等の電子部品の発熱量が増大するとともに、小型化に伴って支持具取付部１９がイメージセンサー８の近くに配置されるようになってきたことから、イメージセンサー８で発生した熱が支持具取付部１９に伝わり、支持具取付部１９の温度が本体筐体３の周辺の温度に比べて高くなる。このように支持具取付部１９のみ温度が高くなると、カメラを操作するユーザーが支持具取付部１９に触れた場合に、違和感を感じてしまう。
【００４３】
本発明においては、支持具取付部１９は、外装部である本体筐体３の内部の底面部に配置されかつ前記支持具４０のネジ部４０ａが取り付け可能なネジ穴３１ａを有する支持具固定部３１と、前記本体筐体３の底部に前記ネジ穴３１ａに連通するように設けた開口部３ａの周囲に配置され、前記支持具４０の受け部４０ｂが当接する支持具受け部３２とを備え、かつ前記支持具受け部３２は前記支持具固定部３１よりも熱伝導率が低い材料で構成したもので、支持具固定部３１の温度が高くなっても、支持具受け部３２の温度上昇を低く抑えることができ、ユーザーがカメラを操作する際に支持具受け部３２の露出面３２ａに触れた場合でも、周辺との温度差による違和感を感じる可能性が少なくなる。
【００４４】
また、本発明においては、支持具取付部１９の支持具受け部３２に支持具４０の受け部４０ｂが当接する構成であり、カメラ本体１は支持具取付部１９の支持具受け部３２を介して支持具４０に支持され、支持具受け部３２が支点として機能するため、支持具４０に取り付けるためにネジ部４０ａを支持具固定部３１のネジ穴３１ａにねじ込む際に、カメラ本体１に機械的な負荷がかかりにくいという効果も得られる。
【００４５】
図６は本発明の他の実施の形態による支持具取付部周辺の構造を説明する概略図であり、図６（Ａ）は支持具取付部に三脚や一脚等の支持具を取り付けていない状態の図、図６（Ｂ）は支持具取付部に三脚や一脚等の支持具を取り付けた状態の図である。
【００４６】
この図６に示す実施の形態においては、前記支持具取付部１９の支持具固定部３１は、前記本体筐体３内の底部に配置された金属製のメインフレーム１８と一体に形成したものである。
【００４７】
すなわち、図６に示すように、支持具固定部３１のフランジ部３１ｂを本体筐体３の底面部に沿って延長して形成することにより、メインフレーム１８と一体の形状としたものである。
【産業上の利用可能性】
【００４８】
以上のように本発明によれば、使い勝手の良い撮像装置を提供する上で有用な発明である。
【符号の説明】
【００４９】
１  カメラ本体
２  交換レンズユニット
２ａ  レンズ鏡筒
３  本体筐体
４  ボディマウント
４ａ  端子支持部
４ｂ  ボディマウントリング
４ｃ  接続端子
５  カメラモニタ
６  電子ビューファインダー
７  操作部
８  イメージセンサー
９  回路基板
１０  カメラコントローラー
１１  メイン回路基板
１２  シャッターユニット
１５  電源ブロック
１８  メインフレーム
１９  支持具取付部
２１  レンズマウント
２１ａ  接続端子
２１ｂ  レンズマウントリング
２２  レンズコントローラー
２３  絞りユニット
２４  駆動部
２８、２９、３０  レンズ群
３１  支持具固定部
３１ａ  ネジ穴
３１ｂ  フランジ部
３２  支持具受け部
３２ａ  露出面
３３  ビス
４０  支持具
４０ａ  ネジ部
４０ｂ  受け部
【図１】
2012252242.tif 000003
【図２】
2012252242.tif 000004
【図３】
2012252242.tif 000005
【図４】
2012252242.tif 000006
【図５】
2012252242.tif 000007
【図６】
2012252242.tif 000008